(57)【要約】  洗濯機システムであって、衣類（１０６）が収容される回転ドラム（１０５）と、回転ドラム（１０５）を回転自在に内包する水槽（１０１）と、衣類（１０６）が出し入れされる衣類投入口（１０７）を前面側を有し、水槽（１０１）を内包する筐体（１０２）とを備える。洗濯機システムは、さらに、水槽（１０１）をサスペンション機構（１０３）により防振支持する台枠（１０４）を備えている。筐体（１０２）と台枠（１０４）とが、互いに独立した別体に構成されている。
2019111772.tif 000002
【特許請求の範囲】
【請求項１】
衣類が収容される回転ドラムと、
前記回転ドラムを回転自在に内包する水槽と、
前記衣類が出し入れされる衣類投入口を前面側に有し、前記水槽を内包する筐体と、前記水槽をサスペンション機構により防振支持する台枠とを備え、
前記筐体と前記台枠が、互いに独立した別体に構成された
洗濯機システム。
【請求項２】
前記筐体と前記台枠とが、分離された状態で設置された
請求項１に記載の洗濯機システム。
【請求項３】
前記筐体は、筐体本体と、その前部に位置する筐体前面とを有し、
前記筐体前面は、前記筐体本体に対して着脱可能に構成された
請求項２に記載の洗濯機システム。
【請求項４】
前記台枠に、床に接地する台枠脚が設けられた
請求項２または請求項３に記載の洗濯機システム。
【請求項５】
前記台枠脚が、前記台枠の前部に少なくとも一つ設けられた
請求項４に記載の洗濯機システム。
【請求項６】
前記台枠脚は、前記台枠の、前部および後部に、それぞれ少なくとも一つ設けられた
請求項４に記載の洗濯機システム。
【請求項７】
前記台枠の底面に、少なくとも一つの車輪が設けられた
請求項２から請求項６までのいずれか１項に記載の洗濯機システム。
【請求項８】
前記筐体と、前記水槽および前記台枠を含む洗濯機本体とは、少なくとも一部で連結されて構成された
請求項１に記載の洗濯機システム。
【請求項９】
前記筐体と前記台枠との間で連結がなされる
請求項８に記載の洗濯機システム。
【請求項１０】
前記筐体の前記衣類投入口の近傍部分と、前記台枠との間で連結がなされる
請求項８または請求項９に記載の洗濯機システム。
【請求項１１】
床へ接地する台枠脚が、前記台枠の、前部と後部とにそれぞれ、少なくとも一つ設けられた
請求項８から請求項１０までのいずれか１項に記載の洗濯機システム。
【請求項１２】
前記台枠は、連結および連結解除可能に構成された、前部側に位置する第１の台枠と、後部側に位置する第２の台枠とを有し、
前記洗濯機本体は、前記第１の台枠上に配置された請求項８から請求項１１までのいずれか１項に記載の洗濯機システム。
【請求項１３】
前記第２の台枠の底面には、少なくとも一つの台枠脚が設けられ、
前記第２の台枠は、予め前記筐体の内部後部の所定位置にて、前記第２の台枠の底面に設けられた前記台枠脚によって、床へ接地している
請求項１２に記載の洗濯機システム。
【請求項１４】
前記第１の台枠の底面には、少なくとも一つの車輪と、前記底面の前部に、少なくとも一つの台枠脚が設けられ、
前記第１の台枠が、前記筐体の前方から前記筐体の内部へと収容される際、前記第１の台枠と前記第２の台枠とは、前記第１の台枠の前方からの移動によって、連結一体化されて前記台枠を構成し、
前記第１の台枠の底面に設けられた前記台枠脚によって、前記台枠の前部が床に接地される請求項１２または請求項１３に記載の洗濯機システム。
【請求項１５】
前記第２の台枠に、前記第１の台枠との連結を誘導するガイド部が設けられた
請求項１２から請求項１４までのいずれか１項に記載の洗濯機システム。
【請求項１６】
前記水槽内から洗浄水が排出される排水流路を備え、
前記排水流路は、前記筐体内部の下方前面側を経由した後に、洗濯機システム外へと至り、前記排水流路は、前記筐体内部の下方前面側近傍で分離可能に構成された
請求項１から請求項１５までのいずれか１項に記載の洗濯機システム。
【請求項１７】
前記水槽内に洗浄水が供給される給水流路を備え、
前記給水流路は、給水口から前記筐体内部の上方前面側を経由した後に、前記水槽へと至り、前記給水流路は前記筐体内部の上方前面側近傍で分離可能に構成された
請求項１から請求項１６までのいずれか１項に記載の洗濯機システム。
【発明の詳細な説明】
【技術分野】
【０００１】
本開示は、水槽内に配設された回転ドラムを回転駆動することにより、回転ドラム内に収容された洗濯物を、洗浄および脱水する洗濯機システムに関する。
【背景技術】
【０００２】
従来の洗濯機システムの一例である洗濯乾燥機について、図９を用いて説明する。【０００３】
図９は、従来の洗濯乾燥機の、側方から見た断面構成を示す図である。【０００４】
従来の洗濯乾燥機は、洗濯および脱水運転における、回転ドラム５の回転によって、水槽１が上下左右に揺動する。このため、水槽１は、複数のサスペンション機構３によって、筐体２内に、揺動自在に防振支持されている。【０００５】
筐体２前面の衣類投入口７と、水槽１の水槽開口部１ａとの間において、筐体２と水槽１とが、パッキン１３によって連結されている。衣類投入口７を開閉自在に覆う扉１２は、閉じられたときにパッキン１３と当接して、水槽１の内部を封止する。【０００６】
筐体２の内部には、空気循環路１４が設けられている。空気循環路１４では、回転ドラム５内に収容された衣類６を乾燥させる温風が循環する。空気循環路１４は、水槽１の、排気口１５と給気口２０とに連通して設けられている。筐体２の内部には、ヒートポンプ装置２３が内蔵されている。ヒートポンプ装置２３を構成する、蒸発器１７および凝縮器１８は、空気循環路１４内に配設されている。ヒートポンプ装置２３によって暖められた空気は、給気口２０から、洗濯脱水後の衣類６が収容された回転ドラム５内へと供給される。衣類６から奪った水分を含んで高湿となった空気は、ヒートポンプ装置２３によって、除湿および加熱され、再度、回転ドラム５内へと循環する。これにより、衣類６が乾燥される。【０００７】
ヒートポンプ装置２３が、筐体２内の上方に配設されている洗濯乾燥機がある。この配置構成の洗濯乾燥機において、筐体２の上部に、蓋体を備えた開口を設けることにより、ヒートポンプ装置２３の修理メンテナンス時に、筐体２を移動させる必要なく、修理メンテナンスが行うことが提案されている（例えば、特許文献１参照）。
【先行技術文献】
【特許文献】
【０００８】
【特許文献１】特開２０１０−１０８号公報
【発明の概要】
【０００９】
本開示は、アクセス方向の制限された、設置環境および機内構成であっても、修理メンテナンスの実施の容易な洗濯機システムを提供するものである。
【００１０】
本開示の洗濯機システムは、衣類が収容される回転ドラムと、回転ドラムを回転自在に内包する水槽と、衣類が出し入れされる衣類投入口を前面側に有し、水槽を内包する筐体と、水槽をサスペンション機構により防振支持する台枠とを備えている。そして、筐体と台枠とが、互いに独立した別体に構成されている。
【００１１】
このような構成により、洗濯機システムの主要部品である、水槽等の洗濯機本体と筐体とが、互いに独立した別体に構成されているため、修理メンテナンス時には、筐体から、容易に洗濯機システムの主要部品全体を取り出すことが可能となる。よって、狭いサニタリー空間内であっても、修理メンテナンスの行いやすい洗濯機システムを提供することができる。また、前方へ洗濯機システムの内部を引き出すことにより、洗濯機システムの後面側の部品まで修理できる。このように、壁面内に洗濯機システムが収納される、デザイン性の高いサニタリールームにも適した洗濯機システムを実現できる。
【００１２】
周囲の設置環境、筐体の大きさ、および、内部構成等のために、修理メンテナンス時に、洗濯機システム内部へのアクセス方向が制限される場合を想定する。
【００１３】
このような場合においても、本開示の洗濯機システムによれば、筐体と、内蔵されている洗濯機システムの主要部品とが、互いに独立して別体に設けらているため、洗濯機システムの主要部品全体を、特定の方向に取り出すことが可能であり、修理メンテナンス性を向上させることができる。
【図面の簡単な説明】
【００１４】
【図１】図１は、本開示の第１の実施の形態における洗濯乾燥機の側方から見た断面構成を示す図である。
【図２】図２は、本開示の第２の実施の形態における洗濯乾燥機の側方から見た断面構成を示す図である。
【図３】図３は、本開示の第２の実施の形態における洗濯乾燥機の正面図である。
【図４】図４は、本開示の第３の実施の形態における洗濯乾燥機の側方から見た断面図である。
【図５】図５は、本開示の第３の実施の形態における洗濯乾燥機の正面図である。
【図６】図６は、本開示の第４の実施の形態における洗濯乾燥機の正面図である。
【図７】図７は、本開示の第５の実施の形態における洗濯乾燥機の側方から見た断面構成を示す図である。
【図８】図８は、図７の８−８断面の構成を示す図である。
【図９】図９は、従来の洗濯乾燥機の、側方から見た断面構成を示す図である。
【発明を実施するための形態】
【００１５】
（本開示の基礎となった知見）
従来の洗濯乾燥機を修理メンテナンスする際には、修理対象箇所に応じて、筐体の一部（前面、後面または上面）を取り外して、内部の修理対象部品を露出させ、または取り出して、修理を実施する。
【００１６】
昨今、洗濯乾燥機が設置されるサニタリールームのデザイン性が向上している。洗濯乾燥機等を壁の中に埋め込むように設置して、空間を広くみせる様式のサニタリールームも提案されている。また、洗濯乾燥機の上部に、さらにドラム式洗濯乾燥機を一体化させ、同時に複数の回転ドラムを運転させて、衣類の分け洗いを実現するような、大型の洗濯機システム等も提案されている。
【００１７】
これらの洗濯乾燥機を修理メンテナンスするに際しては、洗濯乾燥機の周囲の壁が邪魔になったり、洗濯乾燥機が大型で重く、簡単には移動させられなかったりする。したがって、洗濯乾燥機の内部へは、前面側からしかアクセスできず、修理メンテナンス性が悪化する。
【００１８】
本開示はこのような知見に鑑みてなされたものである。
【００１９】
（本開示の態様の一例）
本開示の第１の態様の洗濯機システムは、衣類が収容される回転ドラムと、回転ドラムを回転自在に内包する水槽と、衣類が出し入れされる衣類投入口を前面側に有し、水槽を内包する筐体と、水槽をサスペンション機構により防振支持する台枠とを備えている。そして、筐体と台枠とが、互いに独立した別体に構成されている。
【００２０】
このような構成により、洗濯機システムの主要部品である、水槽等の洗濯機本体を有する台枠と、筐体とが互いに独立して別体に構成されているため、修理メンテナンス時に、容易に洗濯機システムの主要部品全体を、筐体から取り出すことができる。よって、狭いサニタリー空間内であっても、修理メンテナンスの行いやすい洗濯機システムを提供することができる。
【００２１】
また、前方へ洗濯機システムの内部を引き出して、洗濯機システムの後面側の部品まで修理できる。これにより、壁面内に洗濯機システムが収納されるデザイン性の高いサニタリールームに適した洗濯機システムを実現できる。また、運転時の、洗濯機本体の振動が筐体に直接的に伝達されないので、筐体の振動および移動を防止することができる。
【００２２】
第２の態様は、さらに、筐体と台枠とが、分離された状態で設置された洗濯機システムであってもよい。
【００２３】
この構成によれば、さらに、洗濯機システムの主要部品である水槽等の洗濯機本体と、筐体とが、接触せずに分離して設置されているため、修理メンテナンス時、容易に洗濯機システムの主要部品全体を筐体から取り出すことが可能となる。よって、狭いサニタリー空間内であっても修理メンテナンスの行いやすい洗濯機システムを提供することができる。また、前方へ洗濯機システムの内部を引き出して、洗濯機システムの後面側の部品まで修理できる。これにより、壁面内に洗濯機システムが収納されるデザイン性の高いサニタリールームに適した洗濯機システムを実現できる。また、運転時の洗濯機本体の振動が筐体に直接的に伝達されないので、筐体の振動および移動を防止することができる。
【００２４】
第３の態様は、さらに、筐体は、筐体本体と、その前部に位置する筐体前面とを有し、筐体前面は、筐体本体に対して着脱可能に構成されたものであってもよい。ここで、前部とは、より作業者に近い側のことをいうものとする。
【００２５】
この構成によって、さらに、回転ドラムの開口部でもある筐体の前面側を着脱可能とすることで、後面および側面側に修理メンテナンススペースが確保しづらい狭い空間であっても、確実に、洗濯機システムに内蔵された主要部品の修理メンテナンスが可能となる。また、必要に応じて、洗濯機システムの主要部品全体を前方に引き出して修理メンテナンスを行えるので、効率的かつ確実な修理メンテナンスが行える。
【００２６】
従来の一般的な洗濯機システムにおいては、筐体の中の様々な位置に配設された洗濯機システムの構成部品を修理メンテナンスしやすくするため、筐体は、前面、後面、側面、および上面の各々が分割されている。作業者は、それら各面の一部を取り外し、その中の部品を修理する。
【００２７】
これに対して、本開示によれば、筐体を、左右側面と後面とを一体で構成することができ、さらにはこれらに加えて、上面をも一体で構成することも可能である。このような構成とすることにより、筐体の剛性を向上させ、洗濯機システムの水槽の振動による、びびり等の騒音も低減できる。
【００２８】
第４の態様は、さらに、台枠に、床に接地する台枠脚が設けられていてもよい。
【００２９】
この構成によれば、さらに、運転時の振動に起因する、洗濯機システムの移動を防止することができる。
【００３０】
第５の態様は、さらに、台枠脚が、台枠の前部に少なくとも一つ設けられていてもよい。
【００３１】
ここで、台枠の前部とは、台枠を側方からみたときに、前後方向の中心から前方向の部分を指すものとする。
【００３２】
この構成によって、さらに、台枠脚が台枠の前部に配設されることで、台枠脚の、床面への接地および接地解除の作業が容易となる。よって、洗濯機システムの設置、および、修理メンテナンス時の洗濯機システムに内蔵された主要部品の出し入れが容易となる。
【００３３】
第６の態様は、さらに、台枠脚は、台枠の、前部および後部に、それぞれ少なくとも一つ設けられていてもよい。
【００３４】
ここで、台枠の後部とは、台枠を側方からみたときに、前後方向の中心から後方向の部分を指すものとする。
【００３５】
この構成によれば、さらに、前部および後部それぞれで、台枠脚を用いて床面に接地することで、台枠が、前部および後部の双方において確実に接地される。よって、台枠の、左右への振れ回りおよび位置ずれを防止することができる。
【００３６】
第７の態様は、さらに、台枠の底面に、少なくとも一つの車輪が設けられたものであってもよい。
【００３７】
この構成によって、さらに、修理メンテナンス時に、重量物である洗濯機システムに内蔵された主要部品全体を引き出すことが容易となり、修理メンテナンス性を向上させることができる。
【００３８】
第８の態様は、さらに、前記筐体と、前記水槽および前記台枠を含む洗濯機本体とは、少なくとも一部で連結されて構成されていてもよい。
【００３９】
この構成によれば、さらに、振動源である水槽を含む洗濯機本体と、筐体との間が分離され、一部でしか連結されていない。このため、洗濯機本体の振動の、筐体への伝達が最小限となり、筐体の振動が極めて小さい、高品位な洗濯機システムを実現できる。また、筐体が、かなりの重量を有する洗濯機本体と固定連結されることで、床への接地性能が向上し、振動等による床に対する、ずれの発生を抑制できる。また、設置安定性および修理メンテナンス作業性にも優れた洗濯機システムを実現できる。
【００４０】
第９の態様は、さらに、筐体と台枠との間で、連結がなされていてもよい。
【００４１】
この構成によって、振動源である水槽から、筐体への振動の伝達は、サスペンション機構により振動が減衰され、筐体へ伝わる振動が抑制される。したがって、筐体の振動を、より小さくすることができる。
【００４２】
第１０の態様は、さらに、筐体の衣類投入口の近傍部分と、台枠との間で連結がなされていてもよい。
【００４３】
筐体の前面に設けられた衣類投入口と、それと対向して配設される回転ドラムの回転ドラム開口部との間にずれが生じると、回転ドラムに対する衣類の出し入れがしづらくなる。上記構成によって、回転ドラムが支持された台枠と、筐体との連結を、衣類投入口の近傍にて行う。これにより、筐体の衣類投入口と回転ドラム開口部とのずれを、設置時のみならず、経年使用後においても抑制することができる。
【００４４】
第１１の態様は、さらに、床へ接地する台枠脚が、台枠の、前部と後部とにそれぞれ、少なくとも一つ設けられていてもよい。
【００４５】
この構成によって、さらに、前部と後部とに、少なくとも一つの台枠脚を用いて床面に接地することで、台枠が、前部および後部の双方において確実に接地され、台枠の左右への振れ回りおよび位置ずれを防止することができる。
【００４６】
第１２の態様は、さらに、台枠は、連結および連結解除可能に構成された、前部側に位置する第１の台枠と、後部側に位置する第２の台枠とを有し、洗濯機本体は、第１の台枠上に配置されていてもよい。
【００４７】
この構成によれば、さらに、台枠は、前部側と後部側とに分かれており、後部側の第２の台枠を、先に筐体内に設置しておき、第１の台枠を、前方から第２の台枠と連結一体化あるいは連結解除するだけで、洗濯機本体が載置された第１の台枠を、筐体内部に対して出し入れできる。これにより、洗濯機本体に内蔵された主要部品の修理メンテナンスを、効率的かつ確実に行うことができる。また、後部側の第２の台枠の設置作業を、洗濯機本体が存在しない広い空間で行うことができるので、第２の台枠を、筐体内の奥方の所定位置に、容易かつ確実に設置することができる。
【００４８】
第１３の態様は、さらに、第２の台枠の底面には、少なくとも一つの台枠脚が設けられ、第２の台枠は、予め筐体の内部後部の所定位置にて、第２の台枠の底面に設けられた前記台枠脚によって、床へ接地していてもよい。
【００４９】
この構成によって、さらに、第２の台枠を、予め筐体の内部後部の所定位置にしっかり接地させることができる。また、その第２の台枠に向かって、第１の台枠を前方から移動させ、連結一体化させるという簡単な作業で、第１の台枠に支持された洗濯機本体を、筐体内の所定位置に正確に設置することができる。
【００５０】
第１４の態様は、さらに、第１の台枠の底面には、少なくとも一つの車輪と、前部に、少なくとも一つの台枠脚が設けられていてもよい、また、第１の台枠が、筐体の前方から筐体の内部へと収容される際、第１の台枠と第２の台枠とは、第１の台枠の前方からの移動によって、連結一体化されて前記台枠を構成してもよい。第１の台枠の底面に設けられた台枠脚によって、台枠の前部が床へ接地されてもよい。
【００５１】
この構成によって、さらに、第２の台枠に向かって、第１の台枠を前方から移動させ、連結一体化させるという簡単な作業で、第１の台枠に支持された洗濯機本体を、筐体内の所定位置に正確に設置することができる。また、第１の台枠と第２の台枠とが連結一体化されて、大きな台枠を構成し、かなりの重量がある洗濯機本体を、安定して支持することができる。また、第１の台枠と第２の台枠との連結後に、第１の台枠の前部に設けられた台枠脚を用いることで、前部側の接地がなされ、第２の台枠の台枠脚によって既になされている後部側の接地と併せて、簡便に洗濯機システムの前後の接地が完了する。これにより、洗濯機本体の前後左右への位置ずれ、および左右方向の振動による振れ回りを防止することができる。また、前方からの作業だけで台枠を接地できるため、設置作業性に優れた洗濯機システムを提供することができる。
【００５２】
第１５の態様は、さらに、第２の台枠に、第１の台枠との連結を誘導するガイド部が設けられていてもよい。
【００５３】
この構成によって、さらに、前方から第１の台枠を、筐体内部へ押し込み設置する際、容易かつ確実に第２の台枠に連結させることができる。
【００５４】
第１６の態様は、さらに、水槽内から洗浄水が排出される排水流路を備えていてもよい。排水流路は、筐体内部の下方前面側を経由した後に、洗濯機システム外へと至り、排水流路は、筐体内部の下方前面側近傍で分離可能に構成されていてもよい。
【００５５】
この構成によって、さらに、運転位置に設置時に、排水流路が洗濯機システムの内部を圧迫することがない。また、修理メンテナンス時には、排水流路を容易に分離することができ、簡単に洗濯機システムに内蔵された主要部品を取り出すことができる。
【００５６】
第１７の態様は、さらに、水槽内に洗浄水が供給される給水流路を備えていてもよい。給水流路は、水道等の給水口から筐体内部の上方前面側を経由した後に、水槽へと至り、給水経路は筐体内部の上方前面側近傍で分離可能に構成されていてもよい。
【００５７】
この構成によって、さらに、第８の態様と同様に、運転位置に設置時に、給水流路が洗濯機システムの内部を圧迫することがない。また、修理メンテナンス時には、給水流路を容易に分離することができ、簡単に洗濯機システムに内蔵された主要部品を取り出すことができる。
【００５８】
以下、本開示の実施の形態について、図面を参照しながら説明する。なお、本開示の洗濯機システムの一例として、乾燥機能を有する洗濯乾燥機について説明する。しかしながら、本開示の洗濯機システムはこのような単独の洗濯機能を有する機器の例に限定されず、複数の洗濯乾燥機本体が一つの筐体に収められているもの、および、洗濯乾燥機および洗濯物折り畳み装置等の複数の機器が一つの筐体に収めらているもの等も含む。また、下記の実施の形態によって、本開示が限定されるものではない。
【００５９】
（第１の実施の形態）
図１は、本開示の第１の実施の形態における洗濯乾燥機１００の、側方から見た断面構成を示す図である。
【００６０】
図１に示されるように、洗濯乾燥機１００は、水槽１０１を備えている。水槽１０１は、洗濯乾燥機１００の筐体１０２の内部で、複数のサスペンション機構１０３により、台枠１０４に弾性的に支持されている。
【００６１】
衣類１０６が収容される回転ドラム１０５は、前面側に衣類１０６の出し入れされる回転ドラム開口部１０５ａを有している。なお、前面側とは、図１における左側である。回転ドラム１０５は、有底円筒状に構成され、回転ドラム１０５と同様に有底円筒状に構成された水槽１０１内に配設されている。
【００６２】
回転ドラム１０５は、ドラム回転軸１１１によって回転可能に設けられている。ドラム回転軸１１１は、ほぼ水平に配置されている。回転ドラム１０５の円筒状の周壁には、複数の排出孔１０８が設けられている。排出孔１０８は、回転ドラム１０５内と水槽１０１内とを連通させている。回転ドラム１０５内の周壁には、衣類１０６を効率的に持ち上げるための攪拌バッフル１０９が、複数備えられている。
【００６３】
水槽１０１の外部の後側の下方には、モータ等の駆動装置１１０が設けられている。ここで、後側とは、図１における右側のことを指す。駆動装置１１０の回転駆動軸に装着された駆動プーリ１１０ｂと、回転ドラム１０５のドラム回転軸１１１に装着された従動プーリ１１０ｃとの間に、ベルト１１０ａが架設される。これによって、ベルト駆動機構が構成される。
【００６４】
回転ドラム１０５は、駆動装置１１０の回転がベルト駆動機構によって伝達されて、正逆回転する。回転ドラム１０５の回転速度は、制御部１２７からの信号によって制御される。
【００６５】
水槽１０１は、回転ドラム開口部１０５ａと対向する位置に、水槽開口部１０１ａを有している。水槽開口部１０１ａは、筐体１０２の前面に設けられた、衣類１０６の出し入れされる、略円形状の衣類投入口１０７と対向するように設けられている。
【００６６】
扉１１２は、水槽開口部１０１ａを開閉可能に設けられている。扉１１２が閉じられたとき、水槽開口部１０１ａは、扉１１２およびパッキン（図示せず）によって、気密および水密を確保して閉じられる。
【００６７】
水槽１０１の略上部には、水槽１０１および回転ドラム１０５を含む空気循環路１１４が構成されている。以下、空気循環路１１４について説明する。
【００６８】
回転ドラム１０５の底部（後面部）には、複数の孔の集合である導入口１０５ｂが設けられている。水槽１０１の底部（後面部）には、回転ドラム１０５の導入口１０５ｂと対向する位置に、送風機１１９からの温風が導入される給気口１２０が設けられている。水槽１０１から温風が排出される排気口１１５は、水槽１０１の円筒側面の上部側に設けられている。
【００６９】
空気循環路１１４は、回転ドラム１０５内で衣類１０６を乾燥させた空気が、水槽１０１、排気口１１５、リントフィルタ１１６、蒸発器１１７、凝縮器１１８、および送風機１１９を、この順に通過するように設けられている。そして、空気循環路１１４は、送風機１１９を通過した空気が、水槽１０１の給気口１２０から、回転ドラム１０５の導入口１０５ｂを介して、再度、回転ドラム１０５の内部へと循環するように構成されている。
【００７０】
循環空気には、衣類１０６から発生したリントが含まれる。リントフィルタ１１６は、リントを捕捉する。これにより、蒸発器１１７、凝縮器１１８、および送風機１１９での、リント堆積による不具合が防止される。リントフィルタ１１６は、洗濯乾燥機本体１４０から脱着可能に設けられている。
【００７１】
送風機１１９は、送風機１１９を駆動するファンモータ１１９ａと、ファンモータ１１９ａの電流値を測定するモータ電流計測装置（図示せず）とを具備している。
【００７２】
蒸発器１１７および凝縮器１１８は、冷媒が流れる配管との熱交換を促進させるフィンからなる熱交換器である。蒸発器１１７および凝縮器１１８は、冷媒を圧縮する圧縮機１２１、高圧の冷媒を減圧する絞り機構１２２、および、冷媒中の異物を分離するストレーナ（図示せず）等と合わせて、ヒートポンプ装置１２３を構成している。さらに、圧縮機１２１直後の配管内には、圧縮機１２１内の冷媒の温度を検出する温度検出部（図示せず）が配設されている。
【００７３】
さらに、空気循環路１１４には、集排水経路１２６が設けられている。集排水経路１２６は、蒸発器１１７において吸熱・除湿した際に発生した除湿水を、機外（洗濯機システム外）に排出する。蒸発器１１７および凝縮器１１８の下方には、集排水経路１２６に除湿水を誘導する、傾斜およびリブが設けられている。
【００７４】
ヒートポンプ装置１２３前後の循環空気の温度を検出するために、蒸発器１１７の上流側に第１のサーミスタ１２４が、凝縮器１１８の下流側に第２のサーミスタ１２５が、それぞれ空気循環路１１４内に配設されている。
【００７５】
回転ドラム１０５から排出された高温多湿空気は、蒸発器１１７で、除湿および吸熱され、乾燥空気になる。その後、乾燥空気は、凝縮器１１８で加熱されて高温乾燥空気となって、回転ドラム１０５内へと供給され、衣類１０６を乾燥させる。このとき、凝縮器１１８から循環空気へ放出される熱エネルギーは、圧縮機１２１の消費電力相当分と、蒸発器１１７によって吸熱される熱量との和にほぼ等しい。そのため、圧縮機１２１へ入力された電力以上の出力が凝縮器１１８から得られ、低消費電力で衣類１０６を乾燥させることができる。なお、図中の矢印γは、循環空気の流れを示す。
【００７６】
図１には図示されていないが、水槽１０１および回転ドラム１０５内に給水ホース１２９（給水流路）を通じて、洗浄水を供給する給水装置が設けられている。同じく図１には図示されていないが、水槽１０１および回転ドラム１０５内から排水ホース１３０（排水流路）を通じて、洗浄水を機外（洗濯機システム外）に排水する排水装置が設けられている。
【００７７】
制御部１２７は、駆動装置１１０、送風機１１９、圧縮機１２１、給水装置、および、排水装置等を制御し、洗濯、脱水、および乾燥運転を制御する。制御部１２７には、第１のサーミスタ１２４および第２のサーミスタ１２５、ならびに、圧縮機１２１内の冷媒の温度を検出する温度検出部からの検出値、さらに、ファンモータ１１９ａの電流値を測定するモータ電流計測装置で計測された電流値等が入力される。
【００７８】
操作表示部１３１は、筐体１０２の前面上部に設けられている。操作表示部１３１には、使用者による操作によって、洗濯運転コースおよび各種の洗濯条件が入力される。また、操作表示部１３１は、入力された洗濯運転コース、各種の洗濯条件および洗濯運転の進行状況等を表示して、使用者に知らせる。
【００７９】
以上のように構成された洗濯乾燥機１００について、以下、その動作および作用を説明する。
【００８０】
本実施の形態の洗濯乾燥機１００は、標準的な運転モードにおいて、洗濯工程、脱水工程、および、乾燥工程を、これらの順に実行する。
【００８１】
まず、洗濯工程において、給水装置（図示せず）により、衣類１０６の量に応じた、所定量の洗剤および洗浄水が、給水ホース１２９を介して、水槽１０１内に供給される。その後、制御部１２７が、駆動装置１１０により回転ドラム１０５を正逆方向に低速で回転させて、衣類１０６の洗浄を行う。
【００８２】
洗浄が終わると、回転ドラム１０５内の洗浄水が、排水装置（図示せず）によって、排水ホース１３０を介して機外（洗濯機システム外）に排出される。新たな水が、給水装置によって水槽１０１内に供給された後、制御部１２７は、駆動装置１１０により、回転ドラム１０５を正逆方向に低速で回転させて、衣類１０６のすすぎを行う。このすすぎは、水が入れ替えられて、複数回行われる。
【００８３】
続く脱水工程では、水槽１０１内の水が、排水ホース１３０を介して排水される。その後、制御部１２７が、回転ドラム１０５を、一方向、例えば正方向（正面からみて時計回り方向）に高速回転させる。これによって、衣類１０６に残る水が遠心脱水される。
【００８４】
最後の乾燥工程では、制御部１２７が、濡れた衣類１０６を内部に保有した回転ドラム１０５を一方向、例えば正方向に低速回転させて、衣類１０６の乾燥が行われる。このとき、送風機１１９およびヒートポンプ装置１２３が動作する。
【００８５】
凝縮器１１８によって加熱された乾燥用空気は、送風機１１９によって送風され、給気口１２０から、回転ドラム１０５の導入口１０５ｂを経由して、回転ドラム１０５の内部に到着する。回転ドラム１０５に到着した乾燥用空気は、濡れた衣類１０６と接触して、衣類１０６を乾燥させる。乾燥用空気は、その後、衣類１０６から発生したリントを含みつつ、回転ドラム１０５を出て、水槽１０１に設けられた排気口１１５から水槽１０１を出ていく。水槽１０１を出た乾燥用空気は、リントフィルタ１１６でリントを除去された後、蒸発器１１７で除湿され、再度、凝縮器１１８に至る。
【００８６】
以上のような構成を備え、上記の動作を行う洗濯乾燥機１００における、筐体１０２と洗濯乾燥機本体１４０との関係について、以下に説明する。
【００８７】
なお、本開示において、洗濯乾燥機本体１４０とは、水槽１０１、回転ドラム１０５、駆動装置１１０、空気循環路１１４、ヒートポンプ装置１２３、制御部１２７、給水装置、および、排水装置等が、台枠１０４上に配設固定されたものを指す。
【００８８】
洗濯乾燥機本体１４０と筐体１０２とは、分離されて構成されている。つまり、台枠１０４と筐体１０２とは、それぞれ独立して別体に構成されている。筐体１０２は、筐体前面１０２ａと、筐体前面１０２ａよりも後部（図１における右側の部分）に位置する筐体本体１０２ｂとで構成されている。筐体本体１０２ｂは、金属板または樹脂製であり、上面、後面および左右の側面が、一体に構成されている。筐体前面１０２ａは、筐体本体１０２ｂに対して、着脱可能に構成されている。
【００８９】
洗濯乾燥機１００の給水装置は、給水ホース１２９によって、水道等の給水口に接続される。給水ホース１２９は、給水流路分離部１２９ａによって、分離可能に構成されている。給水流路分離部１２９ａは、洗濯乾燥機本体１４０内の上方前面に設けられている。ここで、洗濯乾燥機本体１４０の上方前面とは、洗濯乾燥機本体１４０を側面視した場合に、上下方向の中心から上側であり、かつ、左右方向の中心から前面側のことをいう。
【００９０】
洗濯乾燥機１００の排水装置は、排水ホース１３０によって、床面等に設けられた排水口に接続される。排水ホース１３０は、排水流路分離部１３０ａによって、分離可能に構成されている。排水流路分離部１３０ａは、洗濯乾燥機本体１４０内の下方前面に設けられている。ここで、洗濯乾燥機本体１４０の下方前面とは、洗濯乾燥機本体１４０を側面視した場合に、上下方向の中心から下側であり、かつ、左右方向の中心から前面側のことをいう。
【００９１】
洗濯乾燥機本体１４０の移動を防止する台枠脚１２８が、洗濯乾燥機本体１４０の台枠１０４の底面に設けられている。台枠脚１２８は、台枠１０４を、洗濯乾燥機１００が設置される床面に接地させる。台枠脚１２８としては、床面との間の抵抗が大きな材質および形状を有する、ゴム製、樹脂製、および金属製等の脚が使用される。とりわけ、移動エネルギーを吸収できるゴム製脚が最適である。また、台枠脚１２８として、台枠１０４を床面に直接固定するアンカーボルトも使用可能である。
【００９２】
洗濯乾燥機１００のサニタリールームへの設置は、下記のように行われる。
【００９３】
作業者は、まず、筐体本体１０２ｂをサニタリールームの床面に設置する。このとき、筐体本体１０２ｂを構成する面の下部端面の少なくとも一部は、床面に接している。次に、作業者は、洗濯乾燥機本体１４０を、その大半が筐体本体１０２ｂ内に位置する所定位置に、台枠１０４の台枠脚１２８が床面に付くようにして設置する。
【００９４】
洗濯乾燥機本体１４０の、筐体本体１０２ｂ内の所定位置へ位置決めしての設置は、以下のように行われる。
【００９５】
筐体本体１０２ｂの後部底面は、例えば後面から連続して折り返されて、前方に延出している。その底面延出部には、窪みまたは目印が設けられている。作業者は、前方から、洗濯乾燥機本体１４０を筐体本体１０２ｂ内に設置する際に、洗濯乾燥機本体１４０の底部の所定部を、底面延出部の窪みに嵌め込む、または、目印に合わせて載置する。これにより、洗濯乾燥機本体１４０は、筐体本体１０２ｂに対して、前後左右の位置決めが正しく行われて、所定位置に設置される。
【００９６】
その後、作業者は、給水流路分離部１２９ａに給水ホース１２９を接続し、排水流路分離部１３０ａに排水ホース１３０を接続する。
【００９７】
そして、作業者は、筐体前面１０２ａに設けられた操作表示部１３１を、ケーブルおよびコネクタによって、洗濯乾燥機本体１４０の制御部１２７に接続する。その後、作業者は、筐体前面１０２ａを筐体本体１０２ｂに取り付け固定して、洗濯乾燥機１００の設置を完了する。筐体前面１０２ａの筐体本体１０２ｂへの取り付け固定は、ビスによる固定、および、嵌め合わせによる固定等、よく知られた方法を適用可能である。
【００９８】
洗濯乾燥機１００の修理メンテナンス作業は、下記のように行われる。
【００９９】
前方から修理メンテナンス作業が行える場合、作業者は、筐体前面１０２ａを筐体本体１０２ｂから取り外すことにより、修理メンテナンス作業を行うことができる。例えば、水槽開口部１０１ａ、扉１１２およびパッキン関係、給水流路分離部１２９ａおよび排水流路分離部１３０ａ関係、ならびに、制御部１２７関係の修理メンテナンスを、この状態にて行うことができる。このとき、操作表示部１３１と制御部１２７との結線は、必要に応じて外せばよい。
【０１００】
一方、修理メンテナンスを必要とする部分が、洗濯乾燥機１００の後面側にある場合には、作業者は、筐体前面１０２ａを筐体本体１０２ｂから取り外し、操作表示部１３１と制御部１２７との結線を外す。その後、作業者は、給水流路分離部１２９ａにおける給水ホース１２９の接続、および、排水流路分離部１３０ａにおける排水ホース１３０の接続を外し、台枠脚１２８の接地を解除して、洗濯乾燥機本体１４０を前方に引き出す。これにより、作業者は、洗濯乾燥機１００の後面側にある個所について、容易に修理メンテナンス作業を行うことができる。例えば、駆動装置１１０関係、ならびに、送風機１１９およびヒートポンプ装置１２３関係の修理メンテナンスを、この状態で効率的に行うことができる。この方法は、壁面内に洗濯乾燥機１００が収納されるような、デザイン性の高いサニタリールームにおいて有用である。
【０１０１】
修理メンテナンス作業が終了すると、作業者は、洗濯乾燥機本体１４０が前方に引き出されていれば、洗濯乾燥機本体１４０を筐体本体１０２ｂ内に収納する。そして、作業者は、台枠脚１２８を床面に接地させ、給排水流路を接続し、操作表示部１３１と制御部１２７とを結線した後、筐体前面１０２ａを筐体本体１０２ｂに取り付け固定する。これにより、洗濯乾燥機の修理メンテナンスが完了する。筐体前面１０２ａの筐体本体１０２ｂへの取り付け固定は、ビスによる固定、および、嵌め合わせによる固定等、よく知られた方法を適用可能である。
【０１０２】
洗濯乾燥機本体１４０を前方に引き出す際に課題となるのが、給水ホース１２９および排水ホース１３０の給排水流路の処理である。
【０１０３】
一般的な洗濯乾燥機において、給水ホース１２９の周辺には、洗剤および柔軟剤が投入される流路、ならびに、すすぎ水のみの流路等、複数の流路が構成され、複雑な構成となっている。また、排水ホース１３０の周辺にも、洗浄時に洗濯水が循環される流路、および、給水装置が故障した際のオーバーフロー用の流路、ならびに、異物が排出されないようにするフィルタ部等があり、非常に複雑である。したがって、筐体と洗濯乾燥機本体とが一体化された構成の、従来の洗濯乾燥機においては、給水ホース１２９および排水ホース１３０それぞれを分離可能に構成することは困難である。
【０１０４】
給排水流路を分離しない場合、洗濯乾燥機本体１４０の後面側の部品までを修理メンテナンスすることを考慮すると、給水ホース１２９および排水ホース１３０を、洗濯乾燥機本体１４０の奥行きの長さ以上に引き出す必要がある。これを前提として、余分な長さを有する、給水ホース１２９および排水ホース１３０を、洗濯乾燥機１００の内部に構成する必要がある。運転に必要とされる以上の長さの給水ホース１２９および排水ホース１３０は、洗濯乾燥機１００の内部領域を圧迫する。また、給排水能力の低下、および、給排水流路からの水漏れ等の不都合を生じる虞が増大する。
【０１０５】
本実施の形態の洗濯乾燥機１００は、給水ホース１２９および排水ホース１３０を、それぞれ、洗濯乾燥機１００の上方の前面側近傍、および、下方の前面側近傍で分離できる構成としている。これにより、運転位置に設置された時に、給排水流路が洗濯乾燥機１００の内部を圧迫することがない。また、修理メンテナンス時には、給排水流路を容易に分離することができるので、簡単に洗濯乾燥機１００に内蔵された主要部品を取り出すことができる。また、運転時の洗濯乾燥機本体１４０の振動が、筐体１０２に直接的に伝達されないので、筐体１０２の振動および移動を防止することができる。
【０１０６】
なお、台枠脚１２８は、台枠１０４の底面前部（側面視したときに前後方向の中心よりも前側）に、少なくとも一つ設けられていればよい。台枠脚１２８が洗濯乾燥機本体１４０の前部に設けられていることにより、作業者から台枠脚１２８までの距離が近いので、洗濯乾燥機本体１４０を筐体本体１０２ｂ内に収納した後の接地作業が容易になる。また、洗濯乾燥機本体１４０を筐体本体１０２ｂから取り出す際の、台枠脚１２８の接地解除作業も容易である。
【０１０７】
また、台枠脚１２８は、台枠１０４の底面の前部および後部に、それぞれ少なくとも一つ設けられていてもよい。台枠脚１２８が前部のみの場合、洗濯乾燥機１００の運転中に、洗濯乾燥機本体１４０は、台枠脚１２８を中心として、後部が回転移動する可能性がある。台枠脚１２８が、台枠１０４の底面の前部および後部に、それぞれ少なくとも一つ設けられていれば、前部および後部において、洗濯乾燥機本体１４０が床面に接地する。これにより、洗濯乾燥機本体１４０の後部における回転移動を防止することができる。なお、後部の台枠脚１２８は、リンク機構等を用いることにより、洗濯乾燥機本体１４０の前部から、接地および接地解除できるように構成することができる。
【０１０８】
以上のように、本実施の形態における洗濯乾燥機１００は、サスペンション機構１０３により防振支持される、水槽１０１等の洗濯乾燥機本体１４０を支持する台枠１０４と、筐体１０２とが、分離された状態でサニタリー空間に設置される。台枠１０４と筐体１０２とは、互いに独立した別体に構成されている。
【０１０９】
この構成によって、修理メンテナンス時に、容易に洗濯乾燥機１００の主要部品全体を取り出すことが可能となり、狭いサニタリー空間内であっても、修理メンテナンスの行いやすい洗濯乾燥機１００を提供することができる。また、前方に洗濯乾燥機本体１４０を引き出して、洗濯乾燥機本体１４０の後面側の部品までも修理できる。これにより、壁面内に洗濯乾燥機１００が収納される、デザイン性の高いサニタリールームにも適した洗濯乾燥機１００を実現できる。また、運転時の洗濯乾燥機本体１４０の振動が、筐体１０２に直接的に伝達されず、筐体１０２の振動および移動を防止することができる。
【０１１０】
また、筐体１０２は、筐体本体１０２ｂと、その前部に位置する筐体前面１０２ａとを有しており、筐体前面１０２ａは、筐体本体１０２ｂに対して着脱可能に構成されている。この構成によって、後面および側面側に修理メンテナンススペースが確保しづらい狭い空間であっても、回転ドラム１０５の開口部でもある筐体１０２の前面側を着脱可能とすることで、確実に、洗濯乾燥機本体１４０の主要部品の修理メンテナンスが可能となる。また、必要に応じて、洗濯乾燥機本体１４０全体を前方に引き出して修理メンテナンスを行えるので、効率的かつ確実に修理メンテナンスが行える。
【０１１１】
従来の一般的な洗濯乾燥機においては、筐体の中の様々な位置に配設された構成部品を修理メンテナンスしやすくするために、筐体は、前面、後面、側面、および上面が各々分割され、それら各面の一部を取り外して、その中の部品を修理する構成となっている。これに対して、本実施の形態の洗濯乾燥機１００によれば、筐体１０２を、左右側面と後面とを一体に構成し、さらには、上面をも含めて一体に構成することも可能である。このような構成とすることにより、筐体１０２の剛性を向上させ、洗濯乾燥機１００の水槽１０１の振動による、びびり等の騒音も低減できる。
【０１１２】
また、本実施の形態における洗濯乾燥機１００においては、水槽１０１等の洗濯乾燥機本体１４０を支持する台枠１０４に、床へ接地する台枠脚１２８が設けられている。この構成によって、運転時の振動に起因する洗濯乾燥機１００の移動を防止することができる。
【０１１３】
また、台枠脚１２８は、台枠１０４の前部に、少なくとも一つ設けられている。この構成によって、台枠脚１２８が台枠１０４の前部に配設されることで、台枠脚１２８の床面への接地および接地解除の作業が容易となり、洗濯乾燥機１００の設置、および、修理メンテナンス時の洗濯乾燥機本体１４０の出し入れが容易となる。
【０１１４】
また、台枠脚１２８は、台枠１０４の前部および後部に、それぞれ少なくとも一つ設けられていてもよい。この構成によって、前部および後部において、台枠脚１２８を用いて床面に接地することで、確実に、洗濯乾燥機本体１４０の左右への振れ回りおよび位置ずれを防止することができる。
【０１１５】
また、水槽１０１内から洗浄水が排出される排水ホース１３０は、洗濯乾燥機１００の下方前面側を経由した後に、床等に設けられた排水口へと至る。排水ホース１３０は、洗濯乾燥機１００の下方前面側近傍で、排水流路分離部１３０ａによって分離可能に構成されている。この構成によって、運転位置に設置する時に、排水ホース１３０が洗濯乾燥機１００の内部を圧迫することがない。また、修理メンテナンス時には、排水ホース１３０を容易に分離することができ、簡単に、洗濯乾燥機本体１４０に内蔵された主要部品を取り出すことができる。
【０１１６】
さらに、水槽１０１内に洗浄水が供給される給水ホース１２９は、水道等の給水口から、洗濯乾燥機１００の上方前面側を経由した後に水槽１０１へと至る。給水ホース１２９は、洗濯乾燥機１００の上方前面側近傍で、給水流路分離部１２９ａによって分離可能に構成されている。この構成によって、運転位置に設置する時に、給水ホース１２９が洗濯乾燥機１００の内部を圧迫することがない。また、修理メンテナンス時には、給水ホース１２９を容易に分離することができ、簡単に、洗濯乾燥機本体１４０に内蔵された主要部品を取り出すことができる。
【０１１７】
なお、本実施の形態では、筐体本体１０２ｂは、上面、後面および左右の側面を一体構成するものとしたが、それぞれを個別の部材で構成し、搬入後、組み立てて筐体本体１０２ｂとして完成させてもよい。
【０１１８】
また、本実施の形態において、給排水流路は、軟質のホース（給水ホース１２９および排水ホース１３０）で構成されているが、硬質の配管を用いてもよい。しかし、水槽１０１からの振動伝達を低減するためには、給水流路分離部１２９ａおよび排水流路分離部１３０ａそれぞれの前後のうち、少なくとも片側は軟質のホースであることが好ましい。
【０１１９】
また、筐体前面１０２ａは、筐体本体１０２ｂに対して着脱可能に構成されているが、左右の片側に回動可能なヒンジを設けて、片開き可能な構成としてもよい。
【０１２０】
また、扉１１２は、洗濯乾燥機本体１４０の前面に備えられている例を示したが、筐体前面１０２ａに設けられていてもよい。
【０１２１】
また、操作表示部１３１は、筐体１０２に設けられている例を示したが、洗濯乾燥機本体１４０に設けられ、筐体１０２に設けられた窓を通して、操作表示される構成であってもよい。
【０１２２】
（第２の実施の形態）
図２は、本開示の第２の実施の形態における洗濯乾燥機２００の側方から見た断面構成を示す図である。図３は、本開示の第２の実施の形態における洗濯乾燥機２００の正面図である。
【０１２３】
図２および図３に示されるように、本実施の形態における洗濯乾燥機２００は、四つの車輪１３２が、洗濯乾燥機本体１４０の台枠１０４の底面に設けられている。他の構成は、第１の実施の形態と同じであり、詳細な説明を省略する。洗濯乾燥機２００の洗濯運転時の動作および作用も、第１の実施の形態と同じであり、詳細な説明を省略する。
【０１２４】
本実施の形態においては、台枠脚１２８が床面に対して接地解除されている時は、車輪１３２が床面に対して接地して、床面上を移動可能である。一方、台枠脚１２８が床面に接地固定されるときには、車輪１３２は床面上に接地しておらず、床面上を移動不可能となる。一例として、車輪１３２を昇降可能に構成し、台枠脚１２８が床面に接地固定しているときには、車輪１３２が床面より上方に浮くように構成されていてもよい。逆に、台枠脚１２８を昇降可能に構成し、車輪１３２が床面に接地しているときには、台枠脚１２８が床面から上方に浮いている構成であってもよい。
【０１２５】
本実施の形態の洗濯乾燥機２００のサニタリールームへの設置、および、洗濯乾燥機２００の修理メンテナンス作業について説明する。
【０１２６】
洗濯乾燥機２００のサニタリールームへの設置は、下記のように行われる。
【０１２７】
作業者は、まず、筐体本体１０２ｂをサニタリールームの床面に設置する。
【０１２８】
次に、作業者は、洗濯乾燥機本体１４０を、車輪１３２が接地するように設定し、筐体本体１０２ｂの前面開口側から、車輪１３２を転動させて後方に押し込み、その大半が筐体本体１０２ｂ内に位置する所定位置まで移動させる。その所定位置において、作業者は、車輪１３２を浮かせ、台枠１０４の台枠脚１２８を、床面に付くように接地固定する。これにより、洗濯乾燥機本体１４０は、所定位置に、台枠脚１２８によって、移動が防止された状態で設置される。
【０１２９】
その後、作業者は、給水流路分離部１２９ａに給水ホース１２９を接続し、排水流路分離部１３０ａに排水ホース１３０を接続する。
【０１３０】
最後に、作業者は、筐体前面１０２ａに設けられた操作表示部１３１を、ケーブルとコネクタによって、洗濯乾燥機本体１４０の制御部１２７に接続した後、筐体前面１０２ａを筐体本体１０２ｂに取り付け固定して、洗濯乾燥機２００の設置を完了する。筐体前面１０２ａの筐体本体１０２ｂに対する着脱部分の構成は、ビスによる固定、および嵌め合わせによる固定等、よく知られた方法を適用可能である。
【０１３１】
洗濯乾燥機２００の修理メンテナンス作業は、下記のように行われる。
【０１３２】
前方から修理メンテナンス作業が行える場合、作業者は、筐体前面１０２ａを筐体本体１０２ｂから取り外すことにより、修理メンテナンス作業を行う。例えば、水槽開口部１０１ａ、扉１１２およびパッキン関係、給水流路分離部１２９ａおよび排水流路分離部１３０ａ関係、ならびに、制御部１２７関係の修理メンテナンスを、この状態にて前方から行うことができる。このとき、操作表示部１３１と制御部１２７との結線は、必要に応じて外せばよい。
【０１３３】
一方、修理メンテナンスを必要とする部分が、洗濯乾燥機２００の後面側にある場合について説明する。この場合、作業者は、筐体前面１０２ａを筐体本体１０２ｂから取り外して、操作表示部１３１と制御部１２７との結線を外した後、給水流路分離部１２９ａにおける給水ホース１２９の接続、および、排水流路分離部１３０ａにおける排水ホース１３０の接続を外す。その後、作業者は、台枠脚１２８の接地を解除して車輪１３２を接地させ、洗濯乾燥機本体１４０を前方に引く。これにより、洗濯乾燥機本体１４０は、車輪１３２の転動によって、小さな力で容易に前方に引き出される。これにより、作業者は、容易に修理メンテナンス作業を行うことができる。
【０１３４】
例えば、駆動装置１１０関係、ならびに、送風機１１９およびヒートポンプ装置１２３関係の修理メンテナンスを、この状態で効率的に行うことができる。特に、壁面内に洗濯乾燥機２００が収納されるような、デザイン性の高いサニタリールームにおいては有用である。
【０１３５】
修理メンテナンス作業が終了すると、作業者は、洗濯乾燥機本体１４０が前方に引き出されていれば筐体本体１０２ｂ内に収納して、台枠脚１２８を床面に接地させる。作業者は、給排水流路を接続し、操作表示部１３１と制御部１２７とを結線した後、筐体前面１０２ａを筐体本体１０２ｂに取り付け固定する。これにより、洗濯乾燥機２００の修理メンテナンスは完了する。筐体前面１０２ａの筐体本体１０２ｂへの取り付け固定は、ビスによる固定、および、嵌め合わせによる固定等、よく知られた方法を適用可能である。
【０１３６】
なお、車輪１３２は、台枠１０４の底面に、少なくとも一つ設けられていれば移動が容易になるが、台枠１０４の底面に向かって、底面が矩形の場合、底面の四隅に合計四つ設けられていれば、洗濯乾燥機本体１４０を、より楽に精度良く移動させることができる。
【０１３７】
なお、台枠脚１２８は、台枠１０４の底面前部に少なくとも一つ設けられていればよい。台枠脚１２８が洗濯乾燥機本体１４０の前部に設けられていることにより、洗濯乾燥機本体１４０を筐体本体１０２ｂ内に収納した後の接地作業が容易である。また、洗濯乾燥機本体１４０を筐体本体１０２ｂから取り出す際の、台枠脚１２８の接地解除作業が容易である。
【０１３８】
また、台枠脚１２８は、台枠１０４の底面の、前部および後部にそれぞれ少なくとも一つ設けられていてもよい。台枠脚１２８が前部のみの場合、洗濯乾燥機２００の運転中に、洗濯乾燥機本体１４０は、その前部の台枠脚１２８を中心として、後部が回転移動する可能性がある。これに対して、台枠脚１２８が台枠１０４の底面の、前部および後部にそれぞれ少なくとも一つ設けられていれば、前部と後部において、台枠１０４が床面に接地していることにより、洗濯乾燥機本体１４０の後部における回転移動を防止することができる。なお、後部の台枠脚１２８については、リンク機構等を用いることにより、洗濯乾燥機本体１４０の前方から接地および接地解除できるように構成すればよい。
【０１３９】
また、図２に示されるように、前部に設けられた台枠脚１２８は、前部に設けられた車輪１３２よりも前部（図２において左側）に配設されている。これにより、台枠脚１２８の、床面への接地および接地解除作業を、車輪１３２に邪魔されずに行うことができる。
【０１４０】
以上のように、本実施の形態における洗濯乾燥機２００は、水槽１０１等を含む洗濯乾燥機本体１４０を支持する台枠１０４の底面に、少なくとも一つの車輪１３２を備えている。この構成によって、修理メンテナンス時に、重量物である洗濯乾燥機本体１４０全体を引き出すことが容易となり、修理メンテナンス性を向上させることができる。
【０１４１】
（第３の実施の形態）
図４は、本開示の第３の実施の形態における洗濯乾燥機３００の側方から見た断面構成を示す図である。図５は、本開示の第３の実施の形態における洗濯乾燥機３００の正面図である。
【０１４２】
図４および図５に示されるように、本実施の形態の洗濯乾燥機３００の構成の大半は、前述した第１の実施の形態の洗濯乾燥機１００と共通するので、その説明を省略する。また、本実施の形態の洗濯乾燥機３００の基本的な動作も、前述の洗濯乾燥機１００と共通するので、その説明を省略する。
【０１４３】
本実施の形態の洗濯乾燥機３００の、筐体１０２と洗濯乾燥機本体１４０との関係について以下に説明する。
【０１４４】
なお、洗濯乾燥機本体１４０は、水槽１０１、回転ドラム１０５、駆動装置１１０、空気循環路１１４、ヒートポンプ装置１２３、制御部１２７、給水装置、および排水装置等が、台枠１０４上に配設固定されて構成されたものを指す。
【０１４５】
筐体１０２は、筐体前面１０２ａと、筐体前面１０２ａの後部に位置する筐体本体１０２ｂとで構成されている。筐体本体１０２ｂは、金属板または樹脂製で、上面、後面および左右の側面が一体に構成されている。筐体前面１０２ａは、筐体本体１０２ｂに対して着脱可能に構成されている。
【０１４６】
洗濯乾燥機本体１４０と筐体１０２とは分離されて構成されている。すなわち、台枠１０４と筐体１０２とは、それぞれが独立した別体に構成されている。
【０１４７】
そして、本実施の形態においては、洗濯乾燥機３００がサニタリールーム内に設置され、運転される状態で、洗濯乾燥機本体１４０と筐体１０２とは、全体的には分離されているが、少なくとも一部で連結されている。
【０１４８】
本実施の形態においては、図４に示されるように、台枠１０４の前部と筐体前面１０２ａの側壁下部とが、正面から見て左右それぞれにおいて、連結部品２３２によって連結されている（図５参照）。
【０１４９】
この構成により、洗濯乾燥機３００運転時の振動源である水槽１０１を含む洗濯乾燥機本体１４０と、筐体１０２との間が一部しか連結されていないため、洗濯乾燥機本体１４０から筐体１０２への振動伝達が最小限となる。よって、筐体１０２の振動が極めて小さい、高品位な洗濯乾燥機３００を実現できる。
【０１５０】
さらに、振動源である水槽１０１を、振動減衰機構であるサスペンション機構１０３を介して支持する台枠１０４と、筐体１０２とを連結する構成とすることにより、より大きな振動伝達抑制効果が得られる。
【０１５１】
また、筐体１０２は、重量物である洗濯乾燥機本体１４０と部分的に固定連結されているので、床への接地性能が向上し、振動等による床に対する、ずれの発生を抑制できる。
【０１５２】
連結部品２３２は、台枠１０４に予め固定されており、設置および修理メンテナンス時には、筐体前面１０２ａとの間でビス等により着脱可能である。連結部品２３２は、板金を折り曲げて製作されたもの、鋳造およびダイカストによる金属製のもの、ならびに、樹脂成形によるもの等が使用できる。
【０１５３】
洗濯乾燥機３００のサニタリールームへの設置は、基本的には第１の実施の形態と同様に行われる。
【０１５４】
洗濯乾燥機本体１４０の筐体本体１０２ｂ内の所定位置へ位置決めされての設置は、基本的に第１の実施の形態と同様に行われる。
【０１５５】
洗濯乾燥機本体１４０が、筐体本体１０２ｂに対する前後左右の位置決めが正しく行われて、所定位置に設置された後、作業者は、給水流路分離部１２９ａに給水ホース１２９を接続し、排水流路分離部１３０ａに排水ホース１３０を接続する。
【０１５６】
作業者は、筐体前面１０２ａに設けられた操作表示部１３１を、ケーブルとコネクタによって、洗濯乾燥機本体１４０の制御部１２７に接続する。その後、作業者は、筐体前面１０２ａを筐体本体１０２ｂに取り付け固定し、台枠１０４に固定された連結部品２３２と、筐体前面１０２ａとを連結して、洗濯乾燥機３００の設置を完了する。なお、筐体前面１０２ａの筐体本体１０２ｂへの取り付け固定は、ビスによる固定、および嵌め合わせによる固定等、よく知られた方法が適用可能である。
【０１５７】
この際、筐体前面１０２ａの前面内壁が連結部品２３２の前端部に当接されるように構成することにより、筐体前面１０２ａと連結部品２３２との前後方向の位置決めがなされ、両者の固定作業が行いやすくなる。
【０１５８】
洗濯乾燥機３００の修理メンテナンス作業は、下記のように行われる。
【０１５９】
前方からの作業によって修理メンテナンスが行える場合、作業者は、筐体前面１０２ａを、筐体本体１０２ｂ、および、台枠１０４に固定された連結部品２３２から取り外して、修理メンテナンス作業を行うことができる。例えば、水槽開口部１０１ａ、扉１１２およびパッキン関係、給水流路分離部１２９ａおよび排水流路分離部１３０ａ関係、ならびに、制御部１２７関係の修理メンテナンスを、この状態にて行うことができる。操作表示部１３１と制御部１２７との結線は、必要に応じて外せばよい。
【０１６０】
一方、修理メンテナンスを必要とする部分が、洗濯乾燥機３００の後面側にある場合、作業者は、筐体前面１０２ａを、筐体本体１０２ｂ、および、台枠１０４に固定された連結部品２３２から取り外し、操作表示部１３１と制御部１２７との結線を外す。その後、作業者は、給水流路分離部１２９ａにおける給水ホース１２９、および、排水流路分離部１３０ａにおける排水ホース１３０の接続を外し、台枠脚１２８の接地を解除し、洗濯乾燥機本体１４０を前方に引き出す。
【０１６１】
これにより、作業者は、容易に修理メンテナンス作業を行うことができる。例えば、駆動装置１１０関係、ならびに、送風機１１９およびヒートポンプ装置１２３関係の修理メンテナンスを、この状態で効率的に行うことができる。特に、壁面内に洗濯乾燥機３００が収納されるような、デザイン性の高いサニタリールームにおいては有用である。
【０１６２】
修理メンテナンス作業が終了すれば、作業者は、洗濯乾燥機本体１４０が前方に引き出されていれば筐体本体１０２ｂ内に収納し、台枠脚１２８を床面に接地させ、給排水流路を接続し、操作表示部１３１と制御部１２７とを結線する。その後、作業者は、筐体前面１０２ａを、筐体本体１０２ｂ、および、台枠１０４に固定された連結部品２３２に取り付け固定して、洗濯乾燥機３００の修理メンテナンスを完了する。なお、筐体前面１０２ａの筐体本体１０２ｂへの取り付け固定は、ビスによる固定、および嵌め合わせによる固定等、よく知られた方法が適用可能である。
【０１６３】
また、本実施の形態の洗濯乾燥機３００においても、給水ホース１２９および排水ホース１３０を、洗濯乾燥機３００の上方および下方それぞれの前面側近傍で分離できる構成としている。これにより、運転位置に設置された時に、給排水流路が洗濯乾燥機３００の内部を圧迫することがない。また、修理メンテナンス時には、給排水流路を容易に分離することができ、簡単に洗濯乾燥機３００に内蔵された主要部品を取り出すことができる。また、運転時の洗濯乾燥機本体１４０の振動が筐体１０２に直接的に伝達されず、筐体１０２の振動および移動を防止することができる。
【０１６４】
なお、連結部品２３２による、洗濯乾燥機本体１４０と筐体１０２との一部連結は、本実施の形態では、台枠１０４の前部と筐体前面１０２ａの側壁下部との間でなされているが、これに限定されるものではない。
【０１６５】
例えば、台枠１０４の前部と筐体前面１０２ａの前面下部との間で連結されてもよいし、台枠１０４の前部と筐体本体１０２ｂの側壁下部との間で連結されてもよい。また、台枠１０４の前部以外の部位において連結されてもよい。ただし、上述した構成が、設置および修理メンテナンス時の作業性、ならびに、洗濯乾燥機３００の前面の美観において優れている。
【０１６６】
また、連結部品２３２による洗濯乾燥機本体１４０と筐体１０２との一部連結は、台枠１０４以外の、洗濯乾燥機本体１４０に内蔵された部品（例えば、水槽１０１）と筐体１０２との間でなされてもよい。ただし、本実施の形態の構成によれば、サスペンション機構１０３による防振効果が追加されるので、より大きな筐体１０２の振動抑制効果および移動抑制効果が得られ、好ましい。
【０１６７】
また、連結部品２３２による洗濯乾燥機本体１４０と筐体１０２との一部連結は、本実施の形態では、洗濯乾燥機本体１４０と筐体１０２との間を、ビス等によって固定する構成としているが、固定によらず、ダンパおよびゴム等の振動減衰部材を介しての連結または当接であってもよい。
【０１６８】
また、台枠脚１２８は、台枠１０４の底面前部に少なくとも一つ設けられていればよい。ただし、台枠脚１２８が前部のみの場合、洗濯乾燥機３００の運転中に、洗濯乾燥機本体１４０は、その前部の台枠脚１２８を中心として後部が回転移動する可能性がある。台枠脚１２８が台枠１０４の底面の、前部と後部にそれぞれ少なくとも一つ設けられ、前部と後部において床面に接地していることにより、洗濯乾燥機本体１４０の後部における回転移動を防止することができる。
【０１６９】
なお、後部の台枠脚１２８は、リンク機構等を用いることにより、洗濯乾燥機本体１４０の前方から接地および接地解除できるように構成すればよい。
【０１７０】
以上のように、本実施の形態における洗濯乾燥機３００は、筐体１０２と台枠１０４とは分離されて設置され、筐体１０２と、水槽１０１および台枠１０４等からなる洗濯乾燥機本体１４０とは、少なくとも一部で連結されている。
【０１７１】
このように、振動源である水槽１０１を含む洗濯乾燥機本体１４０と、筐体１０２との間が分離され、一部でしか連結されていないため、洗濯乾燥機本体１４０の振動の、筐体１０２への伝達が最小限となり、筐体１０２の振動が極めて小さく、高品位な洗濯乾燥機を実現できる。また、筐体１０２は、かなりの重量を有する洗濯乾燥機本体１４０と固定連結されることで、床への接地性能が向上し、振動等による床に対するずれの発生を抑制できる。また、設置安定性および修理メンテナンス作業性にも優れた洗濯乾燥機３００を実現できる。
【０１７２】
また、筐体１０２と洗濯乾燥機本体１４０との連結は、筐体１０２と台枠１０４との間でなされている。この構成によって、振動源である水槽１０１から筐体１０２への振動の伝達は、サスペンション機構１０３により振動が減衰され、筐体１０２へ伝わる振動が抑制される。したがって、筐体１０２の振動を、より小さくすることができる。
【０１７３】
（第４の実施の形態）
図６は、本開示の第４の実施の形態における洗濯乾燥機４００の正面図である。
【０１７４】
本実施の形態における洗濯乾燥機４００は、独立に別体に構成された、洗濯乾燥機本体１４０と筐体１０２とが一部で連結されることは第３の実施の形態と共通する。その連結位置が、第３の実施の形態とは異なる。他の構成は、第３の実施の形態と同じであり、詳細な説明は省略する。洗濯乾燥機４００の洗濯運転時の動作および作用も第３の実施の形態と同じであり、詳細な説明を省略する。
【０１７５】
第３の実施の形態においては、台枠１０４の前部と筐体前面１０２ａの側壁下部とが、左右それぞれ連結部品２３２によって連結されている（図５参照）。
【０１７６】
図６に示されるように、本実施の形態における洗濯乾燥機は、台枠１０４の前部と、筐体前面１０２ａの側壁の、衣類投入口１０７の近傍部分とが、左右それぞれにおいて、連結部品２３２を介して連結されている。
【０１７７】
筐体１０２の前面に設けられた衣類投入口１０７と、それと対向して配設される、回転ドラム１０５の回転ドラム開口部１０５ａとの間にずれが生じると、回転ドラム１０５に対する衣類１０６の出し入れがしづらくなる。
【０１７８】
本実施の形態における洗濯乾燥機４００は、回転ドラム１０５が支持された台枠１０４と筐体１０２との連結を、衣類投入口１０７の近傍にて行う構成である。これにより、筐体１０２の衣類投入口１０７と回転ドラム開口部１０５ａとのずれを、設置時のみならず、経年使用後においても抑制することができる。
【０１７９】
（第５の実施の形態）
図７は、本開示の第５の実施の形態における洗濯乾燥機５００の側方から見た断面構成を示す図である。図８は、図７の８−８断面の構成を示す図である。
【０１８０】
本実施の形態における洗濯乾燥機５００は、台枠１０４が、第１の台枠１０４ａと第２の台枠１０４ｂとで構成されている。他の構成は、第３の実施の形態と同じであり、詳細な説明は省略する。洗濯乾燥機５００の洗濯運転時の動作および作用も第３の実施の形態と同じであり、詳細な説明を省略する。
【０１８１】
図７および図８に示されるように、台枠１０４は、前部側に位置する第１の台枠１０４ａと、後部側に位置する第２の台枠１０４ｂとが、台枠連結部１３４によって連結されて構成されている。水槽１０１等の主要部品が搭載された洗濯乾燥機本体１４０は、サスペンション機構１０３を介して、第１の台枠１０４ａ上に支持されている。
【０１８２】
台枠連結部１３４は、連結保持および連結解除可能に構成されている。後部に設置された第２の台枠１０４ｂに向かって、前方から第１の台枠１０４ａを移動させることにより、第１の台枠１０４ａと第２の台枠１０４ｂとが、自動的に台枠連結部１３４によって連結保持される。台枠連結部１３４は、例えば引っ掛け部を備えて機構的に連結する構成でよいし、磁石を用いて電磁的に連結する構成等でもよい。
【０１８３】
台枠連結部１３４の連結解除は、第１の台枠１０４ａの前部に設けられた連結解除装置１３５によって機構的または電磁的に行われ、第１の台枠１０４ａと第２の台枠１０４ｂとは分離される。
【０１８４】
第１の台枠１０４ａの底面には、車輪１３３と、台枠脚１２８と、連結解除装置１３５とが備えられている。車輪１３３は、前後左右に四つ備えられており、床面上を転動して、第１の台枠１０４ａを移動させる。台枠脚１２８は、前側左右の車輪１３３の外側に、それぞれ一つずつ設けられている。台枠脚１２８を床面に接地させることにより、洗濯乾燥機本体１４０が載置された第１の台枠１０４ａが所定位置に設置された状態で、移動を防止する。
【０１８５】
第２の台枠１０４ｂの底面には、台枠脚１２８が備えられている。台枠脚１２８は、前後左右に四つ設けられており、床面に接地されることにより、第２の台枠１０４ｂが所定位置に設置された状態で、移動を防止する。
【０１８６】
第１の台枠１０４ａと第２の台枠１０４ｂとの連結部の構成を説明する。
【０１８７】
図８に示されるように、第１の台枠１０４ａの後端部から、左右一対の連結バー１３６が、後方に延出させて設けられている。第２の台枠１０４ｂの前端部に、第１の台枠１０４ａの連結バー１３６に対応させて、左右一対の連結溝１３７が設けられている。連結溝１３７は、連結バー１３６が挿入される形状寸法に形成されている。
【０１８８】
連結溝１３７は、左右の内側部に、連結バー１３６を連結溝１３７にスムーズに誘導するガイド部１３８が設けられている。ガイド部１３８により、第１の台枠１０４ａと第２の台枠１０４ｂとの連結はスムーズに行われる。ガイド部１３８は、例えば、連結溝１３７の左右の内側部を、前方開口側が奥方より広い傾斜形状の部材で構成することができる。また、ガイド部１３８は、左右の内側部が滑りの良い材料で構成されたり、左右の内側部に滑りの良い処理が施されて構成されてもよい。
【０１８９】
台枠連結部１３４は、例えば、第１の台枠１０４ａの連結バー１３６の後端部に設けられた被係合部と、第２の台枠１０４ｂの連結溝１３７の最奥部に設けられ、被係合部を係合保持および係合解除できる係合部とによって構成することができる。台枠連結部１３４の係合構成は、床面に多少の凹凸がある場合でも、第１の台枠１０４ａと第２の台枠１０４ｂとが連結可能なように遊びを設けるなど、設計に配慮することが好ましい。
【０１９０】
洗濯乾燥機５００のサニタリールームへの設置は、下記のように行われる。
【０１９１】
作業者は、まず、筐体本体１０２ｂをサニタリールームの床面に設置する。次に、第２の台枠１０４ｂを、筐体本体１０２ｂ内の所定位置に、四つの台枠脚１２８が床面に接地されるように設置する。
【０１９２】
第２の台枠１０４ｂの、筐体本体１０２ｂ内の所定位置へ位置決めされての設置は、以下のように行われる。
【０１９３】
筐体本体１０２ｂの後部底面は、例えば後面から連続させて折り返され、前方に延出している。その底面延出部には、窪みまたは目印が設けられている。作業者は、第２の台枠１０４ｂを前方から筐体本体１０２ｂ内に設置する際に、第２の台枠１０４ｂの底部の所定部を、底面延出部の窪みに嵌め込む、または、目印に合わせて載置する。
【０１９４】
これにより、第２の台枠１０４ｂは、筐体本体１０２ｂに対する前後左右の位置決めが正しく行われて、所定位置に設置される。筐体本体１０２ｂ内の奥に設置される第２の台枠１０４ｂ上には何も載置されていない。したがって、設置作業の空間は広く確保されており、作業者は、上記の設置作業を、容易かつ確実に行うことができる。
【０１９５】
次に、作業者は、洗濯乾燥機本体１４０が載置された第１の台枠１０４ａを、第１の台枠１０４ａの連結バー１３６と、第２の台枠１０４ｂの連結溝１３７との係合位置関係に注意しつつ、前方から押して、車輪１３３を転動させて筐体本体１０２ｂ内に押し込む。そして、作業者は、第１の台枠１０４ａと第２の台枠１０４ｂとを台枠連結部１３４によって連結する。その後、第１の台枠１０４ａの二つの台枠脚１２８が床面に接地されることによって、洗濯乾燥機本体１４０は、筐体本体１０２ｂ内の所定位置に設置される。
【０１９６】
この際、後部側の第２の台枠１０４ｂは、既に、四つの台枠脚１２８によって床にしっかり接地されているため、第１の台枠１０４ａを第２の台枠１０４ｂと連結一体化するだけで、洗濯乾燥機本体１４０の後部側の接地が完了する。
【０１９７】
また、その後に、前部側の第１の台枠１０４ａの台枠脚１２８を用いることで、前部側の接地もなされ、簡便に洗濯乾燥機本体１４０の前後部の接地が行われ、左右方向の振動による位置ずれを防止することができる。また、前方からの作業だけで台枠１０４を床面に接地できるため、設置作業を、容易かつ確実に行うことができる。
【０１９８】
次に、作業者は、給水流路分離部１２９ａに給水ホース１２９を接続し、排水流路分離部１３０ａに排水ホース１３０を接続する。
【０１９９】
作業者は、筐体前面１０２ａに設けられた操作表示部１３１を、ケーブルとコネクタによって洗濯乾燥機本体１４０の制御部１２７に接続する。その後、作業者は、筐体前面１０２ａを筐体本体１０２ｂに取り付け固定し、筐体前面１０２ａを台枠１０４に固定された連結部品２３２と連結して、洗濯乾燥機５００の設置を完了する。なお、筐体前面１０２ａの筐体本体１０２ｂへの取り付け固定は、ビスによる固定、および、嵌め合わせによる固定等、よく知られた方法が適用可能である。
【０２００】
この際、筐体前面１０２ａの前面内壁が連結部品２３２の前端部に当接するように構成することにより、筐体前面１０２ａと連結部品２３２との前後方向の位置決めがなされ、両者の固定作業が行いやすくなる。
【０２０１】
洗濯乾燥機５００の修理メンテナンス作業は、下記のように行われる。
【０２０２】
前方からの作業によって修理メンテナンス作業が行える場合、筐体前面１０２ａを、筐体本体１０２ｂ、および、台枠１０４に固定された連結部品２３２から取り外して、修理メンテナンス作業を行うことができる。例えば、水槽開口部１０１ａ、扉１１２およびパッキン関係、給水流路分離部１２９ａおよび排水流路分離部１３０ａ関係、ならびに、制御部１２７関係の修理メンテナンスを、この状態にて行うことができる。操作表示部１３１と制御部１２７との結線は、必要に応じて外せばよい。
【０２０３】
一方、修理メンテナンスを必要とする部分が洗濯乾燥機５００の後面側にある場合、作業者は、筐体前面１０２ａを、筐体本体１０２ｂ、および、台枠１０４に固定された連結部品２３２から取り外し、操作表示部１３１と制御部１２７との結線を外した後、給水流路分離部１２９ａにおける給水ホース１２９、および、排水流路分離部１３０ａにおける排水ホース１３０の接続を外す。作業者は、第１の台枠１０４ａの二つの台枠脚１２８の接地を解除し、第１の台枠１０４ａの前部に設けられた連結解除装置１３５を操作して、第１の台枠１０４ａと第２の台枠１０４ｂとの連結を解除し、洗濯乾燥機本体１４０が載置された第１の台枠１０４ａを前方に引き出す。
【０２０４】
これにより、作業者は、容易に修理メンテナンス作業を行うことができる。例えば、駆動装置１１０関係、送風機１１９およびヒートポンプ装置１２３関係の修理メンテナンスを、この状態で行うことにより、効率的に行うことができる。特に、壁面内に洗濯乾燥機が収納されるようなデザイン性の高いサニタリールームにおいて、有用である。
【０２０５】
修理メンテナンス作業が終了すると、作業者は、洗濯乾燥機本体１４０が前方に引き出されていれば、筐体本体１０２ｂ内に収納する。この際の第１の台枠１０４ａと第２の台枠１０４ｂとの連結は、設置作業と同様に行われる。その後、作業者は、第１の台枠１０４ａの台枠脚１２８を床面に接地させ、給排水流路を接続し、操作表示部１３１と制御部１２７とを結線する。その後、筐体前面１０２ａを、筐体本体１０２ｂ、および、台枠１０４に固定された連結部品２３２に取り付け固定して、洗濯乾燥機５００の修理メンテナンスを完了する。筐体前面１０２ａの筐体本体１０２ｂへの取り付け固定は、ビスによる固定、および嵌め合わせによる固定等、よく知られた方法を適用可能である。
【０２０６】
なお、洗濯乾燥機本体１４０と筐体１０２とが一部で連結される位置は、第４の実施の形態と同様に、筐体前面１０２ａ内側の、側壁の衣類投入口１０７の近傍部分であってもよいし、両方にあってもよい。
【０２０７】
以上のように、本実施の形態における洗濯乾燥機５００においては、台枠１０４の、前部側に位置する第１の台枠１０４ａと、後部側に位置する第２の台枠１０４ｂとが、台枠連結部１３４で、連結および連結解除可能に構成されている。
【０２０８】
洗濯乾燥機本体１４０は、第１の台枠１０４ａ上に構成されている。この構成によって、台枠１０４は、前部側と後部側とに分かれる。後部側の第２の台枠１０４ｂを、先に筐体１０２内に設置しておき、第１の台枠１０４ａを、前方から第２の台枠１０４ｂと連結一体化する、または、連結解除するだけで、洗濯乾燥機本体１４０が載置された第１の台枠１０４ａを、筐体１０２内部に対して出し入れできる。
【０２０９】
これにより、洗濯乾燥機本体１４０に内蔵された主要部品の修理メンテナンスを、効率的かつ確実に行うことができる。また、後部側の第２の台枠１０４ｂの設置作業を、洗濯乾燥機本体１４０が存在しない広い空間で行うことができる。よって、第２の台枠１０４ｂを、筐体１０２内の奥方の所定位置に、容易かつ確実に設置することができる。
【０２１０】
また、第２の台枠１０４ｂの底面には少なくとも一つの台枠脚１２８が設けられ、第２の台枠１０４ｂは、予め、筐体１０２の内部後部の所定位置において、第２の台枠１０４ｂの底面に設けられた台枠脚１２８によって、床に接地されている。この構成によって、第２の台枠１０４ｂを、予め筐体１０２の内部後部の所定位置にしっかり接地させることができる。また、その第２の台枠１０４ｂに向かって、第１の台枠１０４ａを前方から移動させ、連結一体化させるという簡単な作業で、第１の台枠１０４ａに支持された洗濯乾燥機本体１４０を、筐体１０２内の所定位置に正確に設置することができる。
【０２１１】
また、第１の台枠１０４ａの底面には、少なくとも一つの車輪１３３と、前部に少なくとも一つの台枠脚１２８が設けられている。第１の台枠１０４ａを、筐体１０２の前方から筐体１０２の内部へと収容する際、第１の台枠１０４ａと第２の台枠１０４ｂとは、第１の台枠１０４ａの前方からの移動によって、台枠連結部１３４により連結一体化されて、台枠１０４を構成する。これとともに、第１の台枠１０４ａの底面に設けられた台枠脚１２８によって、台枠１０４の前部が床へ接地される。
【０２１２】
この構成によって、第２の台枠１０４ｂに向かって、第１の台枠１０４ａを前方から移動させ、連結一体化させるという簡単な作業で、第１の台枠１０４ａに支持された洗濯乾燥機本体１４０を、筐体１０２内の所定位置に、正確に設置することができる。また、第１の台枠１０４ａと第２の台枠１０４ｂとが連結一体化されて、大きな台枠１０４を構成し、かなりの重量がある洗濯乾燥機本体１４０を、安定して支持することができる。
【０２１３】
また、第１の台枠１０４ａと第２の台枠１０４ｂの連結後に、第１の台枠１０４ａの前部に設けられた台枠脚１２８を用いる。これにより、前部側の接地もなされ、第２の台枠１０４ｂの台枠脚１２８によって既になされている、後部側の接地と併せて、簡便に洗濯乾燥機５００の前後の接地が完了する。これにより、洗濯乾燥機本体１４０の前後左右への位置ずれ、および、左右方向の振動による振れ回りを防止することができる。また、前方からの作業だけで台枠１０４を接地できるため、設置作業性に優れた洗濯乾燥機５００を提供することができる。
【０２１４】
また、第２の台枠１０４ｂに、第１の台枠１０４ａとの連結を誘導するガイド部１３８が設けられている。この構成によって、前方から第１の台枠１０４ａを筐体１０２の内部へ押し込み設置する際、容易かつ確実に、第２の台枠１０４ｂに連結させることができる。
【０２１５】
以上述べた各実施の形態は、それぞれ独立した形態ではなく、組み合わせて実施することもできる。例えば、図７に示されたような、台枠１０４が、第１の台枠１０４ａと第２の台枠１０４ｂとに連結した構成を、図１に示されたような、台枠１０４と筐体１０２とが分離した構成に適用することも可能である。
【産業上の利用可能性】
【０２１６】
以上述べたように、本開示にかかる洗濯機システムは、洗濯機システムの主要部品である水槽等の洗濯機本体と筐体とが互いに独立して別体に設けられている。これにより、容易に洗濯機システムの主要部品全体を取り出すことが可能であり、修理メンテナンスを容易に行える。よって、一般家庭用の洗濯機システムのみならず、壁面内に収納して使用されるデザイン性の高いサニタリールームに設置される洗濯機システムにも適用できる。また、洗濯機能を有さない衣類乾燥機にも適用できる。さらに、本開示の洗濯機システムは、一台の洗濯機本体を含むのみならず、複数の洗濯機本体を筐体内に含む洗濯機システム、および、洗濯機本体および洗濯物の折り畳み装置を筐体内に含む洗濯機システム等にも適用可能であり、有用である。
【符号の説明】
【０２１７】
１００，２００，３００，４００，５００    洗濯乾燥機
１０１    水槽
１０１ａ    水槽開口部
１０２    筐体
１０２ａ    筐体前面
１０２ｂ    筐体本体
１０３    サスペンション機構
１０４    台枠
１０４ａ    第１の台枠
１０４ｂ    第２の台枠
１０５    回転ドラム
１０５ａ    回転ドラム開口部
１０５ｂ    導入口
１０６    衣類
１０７    衣類投入口
１０８    排出孔
１０９    攪拌バッフル
１１０    駆動装置
１１０ａ    ベルト
１１０ｂ    駆動プーリ
１１０ｃ    従動プーリ
１１１    ドラム回転軸
１１２    扉
１１４    空気循環路
１１５    排気口
１１６    リントフィルタ
１１７    蒸発器
１１８    凝縮器
１１９    送風機
１１９ａ    ファンモータ
１２０    給気口
１２１    圧縮機
１２２    絞り機構
１２３    ヒートポンプ装置
１２４    第１のサーミスタ
１２５    第２のサーミスタ
１２６    集排水経路
１２７    制御部
１２８    台枠脚
１２９    給水ホース（給水流路）
１２９ａ    給水流路分離部
１３０    排水ホース（排水流路）
１３０ａ    排水流路分離部
１３１    操作表示部
１３２    車輪
１３３    車輪
１３４    台枠連結部
１３５    連結解除装置
１３６    連結バー
１３７    連結溝
１３８    ガイド部
１４０    洗濯乾燥機本体
２３２    連結部品
【図１】
2019111772.tif 000003
【図２】
2019111772.tif 000004
【図３】
2019111772.tif 000005
【図４】
2019111772.tif 000006
【図５】
2019111772.tif 000007
【図６】
2019111772.tif 000008
【図７】
2019111772.tif 000009
【図８】
2019111772.tif 000010
【図９】
2019111772.tif 000011
【国際調査報告】
2019111772.tif 000012
2019111772.tif 000013
2019111772.tif 000014